【手続補正書】
【提出日】平成30年5月2日(2018.5.2)
【手続補正１】
【補正対象書類名】明細書
【補正対象項目名】００４１
【補正方法】変更
【補正の内容】
【００４１】
前記図３を参照して具体的な例を挙げて説明すると、次のとおりである。前記図３でビーム獲得手順を通じて決定された最適の送/受信ビームの対は送信ビーム-Ｅ３２５および受信ビーム-Ｂ３３２である。この時、前記ビーム獲得手順のうち、前記端末３１０は、送/受信ビームの対のペアリストを生成および保存する。以後、前記端末３１０は、他の目的または他の端末のビーム獲得手順のために伝送される基準信号を用いてビーム選択の誤りの発生を認知する。すなわち、前記端末が前記基地局から前記ビーム獲得手順以外の他の目的で送信された信号を基準信号として用いるか、又は前記端末は、前記端末３１０の他の端末のためのビーム獲得手順のための基準信号を用いることができる。他の目的または他の端末のためのビーム獲得手順のために基準信号を用いる場合、前記端末３１０は毎フレーム、少なくとも一つの基準信号を受信することができる。
【手続補正２】
【補正対象書類名】明細書
【補正対象項目名】００４２
【補正方法】変更
【補正の内容】
【００４２】
前記ビーム選択の誤りの認知過程を詳しく説明すると、次のとおりである。前記端末３１０は、前記基準信号を用いて送/受信ビームの対のペアリストを新たに生成し、前記受信ビーム-Ｂ３３２を含む送/受信ビームの対の中で一番大きな信号の強さを持つビームの対を検索する。受信ビーム-Ｂ３３２を含み、最も強い信号の強さを持つビームの対が検索される場合、前記ビーム獲得手順を通じて決定された送/受信ビームの対と相違すると、前記端末３１０はビーム選択の誤りが発生すると判断する。この場合、前記端末３１０は、再選択された送信ビームの情報として、前記受信ビーム-Ｂ３３２を含み、最も強い信号の強さを持つものと検索されたビームの対に含まれた送信ビームを示す情報を前記基地局３００にフィードバックする。これを通じて、前記端末３１０は再選択された送信ビームの適用可否の確認および受信ビームの再選択なしに前記基地局３００の信号を受信することができる。
【手続補正３】
【補正対象書類名】特許請求の範囲
【補正対象項目名】全文
【補正方法】変更
【補正の内容】
【特許請求の範囲】
【請求項１】
無線通信システムにおける受信ノードの動作方法であって、
送信ノードから前記送信ノードの第１送信ビームを介して送信されたデータ信号を前記受信ノードの受信ビームを介して受信する過程と、
ビームエラーが発生したことを検出する過程と、
前記受信ビームとペア（ｐａｉｒ）にされた少なくとも１つの送信ビームのうち１つの第２送信ビームを用いることを要求するメッセージを前記送信ノードに送信する過程と、
を含み、
前記受信ビーム及び前記第１送信ビームは、ビームスウィーピング（ｂｅａｍ  ｓｗｅｅｐｉｎｇ）に基づいた周期的手順に従って決定され、
前記第２送信ビームは、前記ビームエラーによってトリガされる（ｔｒｉｇｇｅｒｅｄ）非周期的手順に従って決定される方法。
【請求項２】
前記第２送信ビームを介して送信された他のデータ信号を受信する過程をさらに含む請求項１に記載の方法。
【請求項３】
前記第１送信ビームを介して送信された第１データ信号及び前記第２送信ビームを介して送信された第２データ信号を受信する過程をさらに含む請求項１に記載の方法。
【請求項４】
前記受信ノードのために割り当てられた基準信号と異なる基準信号を用いて前記第２送信ビームを決定する過程をさらに含む請求項１に記載の方法。
【請求項５】
前記データ信号のデコーディングが失敗すると、前記第２送信ビームを決定する過程をさらに含む請求項１に記載の方法。
【請求項６】
前記周期的手順の間、多数の送信ビーム及び多数の受信ビームに対する測定結果に基づいて前記第１送信ビーム及び前記第２送信ビームを決定する過程をさらに含む請求項１に記載の方法。
【請求項７】
前記ビームエラーの検出に応じて、多数の受信ビームに対する測定結果なしに前記第２送信ビームを決定する過程をさらに含む請求項１に記載の方法。
【請求項８】
無線通信システムにおける送信ノードの動作方法であって、
受信ノードにデータ信号を前記送信ノードの第１送信ビームを介して送信する過程と、
第２送信ビームを用いることを要求するメッセージを前記受信ノードから受信する過程と、を含み、
前記データ信号は、前記受信ノードの受信ビームを介して前記受信ノードに受信され、
前記第２送信ビームは、前記受信ビームとペア（ｐａｉｒ）にされた少なくとも１つの送信ビームのうち１つであって、
前記受信ビーム及び前記第１送信ビームは、ビームスウィーピング（ｂｅａｍ  ｓｗｅｅｐｉｎｇ）に基づいた周期的手順に従って決定され、
前記第２送信ビームは、ビームエラーによってトリガされる（ｔｒｉｇｇｅｒｅｄ）非周期的手順に従って決定される方法。
【請求項９】
前記第２送信ビームを介して他のデータ信号を送信する過程をさらに含む請求項８に記載の方法。
【請求項１０】
前記第１送信ビームを介して第１データ信号を、前記第２送信ビームを介して第２データ信号を送信する過程をさらに含む請求項８に記載の方法。
【請求項１１】
無線通信システムにおける受信ノード装置であって、
送受信部と、
前記送受信部と接続された制御部と、を含み、
前記制御部は、
送信ノードから前記送信ノードの第１送信ビームを介して送信されたデータ信号を前記受信ノードの受信ビームを介して受信し、
ビームエラーが発生したことを検出し、
前記受信ビームとペア（ｐａｉｒ）にされた少なくとも１つの送信ビームのうち１つの第２送信ビームを用いることを要求するメッセージを前記送信ノードに送信するように制御し、
前記受信ビーム及び前記第１送信ビームは、ビームスウィーピング（ｂｅａｍ  ｓｗｅｅｐｉｎｇ）に基づいた周期的手順に従って決定され、
前記第２送信ビームは、前記ビームエラーによってトリガされる（ｔｒｉｇｇｅｒｅｄ）非周期的手順に従って決定される装置。
【請求項１２】
前記送受信部は、前記第２送信ビームを介して送信された他のデータ信号を受信する請求項１１に記載の装置。
【請求項１３】
前記送受信部は、前記第１送信ビームを介して送信された第１データ信号及び前記第２送信ビームを介して送信された第２データ信号を受信する請求項１１に記載の装置。
【請求項１４】
前記制御部は、前記受信ノードのために割り当てられた基準信号と異なる基準信号を用いて前記第２送信ビームを決定する請求項１１に記載の装置。
【請求項１５】
前記制御部は、前記データ信号のデコーディングが失敗すると、前記第２送信ビームを決定する請求項１１に記載の装置。
【請求項１６】
前記制御部は、前記周期的手順の間、多数の送信ビーム及び多数の受信ビームに対する測定結果に基づいて前記第１送信ビーム及び前記第２送信ビームを決定する請求項１１に記載の装置。
【請求項１７】
前記制御部は、前記ビームエラーの検出に応じて、多数の受信ビームに対する測定結果なしに前記第２送信ビームを決定する請求項１１に記載の装置。
【請求項１８】
無線通信システムにおける送信ノード装置であって、
送受信部と、
前記送受信部と接続された制御部と、を含み、
前記制御部は、
受信ノードにデータ信号を前記送信ノードの第１送信ビームを介して送信し、
第２送信ビームを用いることを要求するメッセージを前記受信ノードから受信するように制御し、
前記データ信号は、前記受信ノードの受信ビームを介して前記受信ノードに受信され、
前記第２送信ビームは、前記受信ビームとペア（ｐａｉｒ）にされた少なくとも１つの送信ビームのうち１つであって、
前記受信ビーム及び前記第１送信ビームは、ビームスウィーピング（ｂｅａｍ  ｓｗｅｅｐｉｎｇ）に基づいた周期的手順に従って決定され、
前記第２送信ビームは、ビームエラーによってトリガされる（ｔｒｉｇｇｅｒｅｄ）非周期的手順に従って決定される装置。
【請求項１９】
前記送受信部は、前記第２送信ビームを介して他のデータ信号を送信する請求項１８に記載の装置。
【請求項２０】
前記送受信部は、前記第１送信ビームを介して第１データ信号を、前記第２送信ビームを介して第２データ信号を送信する請求項１８に記載の装置。
【手続補正４】
【補正対象書類名】図面
【補正対象項目名】図３
【補正方法】変更
【補正の内容】
【図３】
2017092999.tif 000001